(57)【要約】【課題】所定地域に賑わいをもたらすことを可能とする。【解決手段】通行誘導サーバ１０は、ユーザの通行を誘導し、所定地域のルート上に複数のスポットを設定するスポット設定手段１１と、ユーザにより操作されるユーザ端末２０から位置情報を受信する受信手段１２と、位置情報に基づき、ユーザが通行した経路を特定する経路特定手段１４と、経路において、ルート上に設定されていた複数のスポットのうち、少なくとも１つのスポットを複数回通行していたことに応じたポイントを、ユーザに付与するポイント付与手段１５と、を備える。【選択図】図２
2019139325.tif 000002
【特許請求の範囲】
【請求項１】
ユーザの通行を誘導する通行誘導サーバであって、
所定地域のルート上に複数のスポットを設定するスポット設定手段と、
ユーザにより操作されるユーザ端末から位置情報を受信する受信手段と、
前記位置情報に基づき、ユーザが通行した経路を特定する経路特定手段と、
前記経路において、前記ルート上に設定されていた複数の前記スポットのうち、少なくとも１つの前記スポットを複数回通行していたことに応じたポイントを、ユーザに付与するポイント付与手段と、を備えることを特徴とする通行誘導サーバ。
【請求項２】
前記ユーザ端末の移動速度を取得する移動速度取得手段を、更に備え、
前記ポイント付与手段は、前記ルート上における移動中の前記ユーザ端末の前記移動速度が、所定速度以下である場合に、前記ポイントを付与することを特徴とする請求項１に記載の通行誘導サーバ。
【請求項３】
前記受信手段は、前記ユーザ端末から、前記スポットに関する画像情報を、他の前記ユーザ端末と共有したことを示す画像共有情報を受信し、
前記ポイント付与手段は、前記画像共有情報に応じた前記ポイントを、ユーザに付与する請求項１又は２に記載の通行誘導サーバ。
【請求項４】
ユーザの通行を誘導する通行誘導サーバが実行する方法であって、
所定地域のルート上に複数のスポットを設定するステップと、
ユーザにより操作されるユーザ端末から位置情報を受信するステップと、
前記位置情報に基づき、ユーザが通行した経路を特定するステップと、
前記経路において、前記ルート上に設定されていた複数の前記スポットのうち、少なくとも１つの前記スポットを複数回通行していたことに応じたポイントを、ユーザに付与するステップと、を含むことを特徴とする方法。
【請求項５】
ユーザの通行を誘導する通行誘導サーバを、
所定地域のルート上に複数のスポットを設定するスポット設定手段、
ユーザにより操作されるユーザ端末から位置情報を受信する受信手段、
前記位置情報に基づき、ユーザが通行した経路を特定する経路特定手段、
前記経路において、前記ルート上に設定されていた複数の前記スポットのうち、少なくとも１つの前記スポットを複数回通行していたことに応じたポイントを、ユーザに付与するポイント付与手段、として機能させることを特徴とするプログラム。
【請求項６】
ユーザの通行を誘導する通行誘導サーバを、
所定地域のルート上に複数のスポットを設定するスポット設定手段、
前記スポットの通過を示すスポット通過情報を取得するスポット通過情報取得手段、
前記スポット通過情報取得手段によって取得された前記スポット通過情報に基づいて、前記ルート上に設定されていた複数の前記スポットのうち、少なくとも１つの前記スポットを複数回通行していたことに応じたポイントを、ユーザに付与するポイント付与手段、として機能させることを特徴とするプログラム。
【請求項７】
ユーザに所持され、ユーザの通行を誘導するユーザ端末を、
所定地域のルート上に複数のスポットが設定されたスポット設定情報を取得するスポット設定情報取得手段、
前記ユーザ端末の位置情報を取得する位置情報取得手段、
前記位置情報と取得した前記スポット設定情報に基づき、前記ユーザ端末が前記スポットの所定距離範囲内を通過したことを判定するスポット通過判定手段、
前記スポット通過判定手段が、前記ルート上に設定されていた複数の前記スポットのうち、少なくとも１つの前記スポットを複数回通行したことに応じたポイントを、ユーザに付与するポイント付与手段、として機能させることを特徴とするプログラム。
【発明の詳細な説明】
【技術分野】
【０００１】
本発明は、通行誘導サーバ、その方法及びプログラムに関する。
【背景技術】
【０００２】
従来、所定地域（例えば、ある町の商店街等）に人を集めるために、所定地域を訪れた人に特典を付与することが知られている。
また、近年は、スマートフォン等の携帯端末の普及により、携帯端末を利用して、このような所定地域を訪れた人に特典を付与することが行われている。
【０００３】
例えば、特許文献１には、複数地点のうちの携帯電話機が配置される通過地点を示す通過地点ＩＤを携帯電話機から公衆回線網を介して収集する通行情報収集部と、通過地点ＩＤを記録する通行情報データベースと、通行情報データベースに記録される複数通過地点ＩＤが通行条件を満足するかどうかを判別する通行情報処理部と、複数通過地点が通行条件を満足するときに、複数通過地点ＩＤが通行条件を満足することで、携帯電話機のユーザに特典を提供する地域振興システムが提案されている。
このような地域振興システムによれば、携帯電話機のユーザを、所定地域の通過地点に誘導することが可能となり、所定地域に人を集めることができる。
【先行技術文献】
【特許文献】
【０００４】
【特許文献１】特開２００４−１９９６０７号公報
【発明の概要】
【発明が解決しようとする課題】
【０００５】
しかしながら、特許文献１の地域振興システムは、所定地域に人を集めることができたとしても、集まった人が所定地域に、滞留せずに通過してしまう場合もあり、所定地域に賑わいをもたらすことはできなかった。
【０００６】
そこで本発明では、上記のような課題に鑑み、所定地域に賑わいをもたらすことが可能な通行誘導サーバ、その方法及びプログラムを提供することを目的とする。
【課題を解決するための手段】
【０００７】
上記課題を解決するため、本発明の通行誘導サーバは、以下のような解決手段を提供する。
【０００８】
（１）本発明の第１の態様は、ユーザの通行を誘導する通行誘導サーバであって、所定地域のルート上に複数のスポットを設定するスポット設定手段と、ユーザにより操作されるユーザ端末から位置情報を受信する受信手段と、前記位置情報に基づき、ユーザが通行した経路を特定する経路特定手段と、前記経路において、前記ルート上に設定されていた複数の前記スポットのうち、少なくとも１つの前記スポットを複数回通行していたことに応じたポイントを、ユーザに付与するポイント付与手段と、を備えることを特徴とする通行誘導サーバである。
【０００９】
（２）本発明は、（１）の通行誘導サーバにおいて、前記ユーザ端末の移動速度を取得する移動速度取得手段を、更に備え、前記ポイント付与手段は、前記ルート上における移動中の前記ユーザ端末の前記移動速度が、所定速度以下である場合に、前記ポイントを付与する。
【００１０】
（３）本発明は、（１）又は（２）の通行誘導サーバにおいて、前記受信手段は、前記ユーザ端末から、前記スポットに関する画像情報を、他の前記ユーザ端末と共有したことを示す画像共有情報を受信し、前記ポイント付与手段は、前記画像共有情報に応じた前記ポイントを、ユーザに付与する。
【００１１】
（４）本発明の第２の態様は、ユーザの通行を誘導する通行誘導サーバが実行する方法であって、所定地域のルート上に複数のスポットを設定するステップと、ユーザにより操作されるユーザ端末から位置情報を受信するステップと、前記位置情報に基づき、ユーザが通行した経路を特定するステップと、前記経路において、前記ルート上に設定されていた複数の前記スポットのうち、少なくとも１つの前記スポットを複数回通行していたことに応じたポイントを、ユーザに付与するステップと、を含むことを特徴とする方法である。
【００１２】
（５）本発明の第３の態様は、ユーザの通行を誘導する通行誘導サーバを、所定地域のルート上に複数のスポットを設定するスポット設定手段、ユーザにより操作されるユーザ端末から位置情報を受信する受信手段、前記位置情報に基づき、ユーザが通行した経路を特定する経路特定手段、前記経路において、前記ルート上に設定されていた複数の前記スポットのうち、少なくとも１つの前記スポットを複数回通行していたことに応じたポイントを、ユーザに付与するポイント付与手段、として機能させることを特徴とするプログラムである。
【００１３】
（６）本発明の第４の態様は、ユーザの通行を誘導する通行誘導サーバを、所定地域のルート上に複数のスポットを設定するスポット設定手段、前記スポットの通過を示すスポット通過情報を取得するスポット通過情報取得手段、前記スポット通過情報取得手段によって取得された前記スポット通過情報に基づいて、前記ルート上に設定されていた複数の前記スポットのうち、少なくとも１つの前記スポットを複数回通行していたことに応じたポイントを、ユーザに付与するポイント付与手段、として機能させることを特徴とするプログラムである。
【００１４】
（７）本発明の第５の態様は、ユーザに所持され、ユーザの通行を誘導するユーザ端末を、所定地域のルート上に複数のスポットが設定されたスポット設定情報を取得するスポット設定情報取得手段、前記ユーザ端末の位置情報を取得する位置情報取得手段、前記位置情報と取得した前記スポット設定情報に基づき、前記ユーザ端末が前記スポットの所定距離範囲内を通過したことを判定するスポット通過判定手段、前記スポット通過判定手段が、前記ルート上に設定されていた複数の前記スポットのうち、少なくとも１つの前記スポットを複数回通行したことに応じたポイントを、ユーザに付与するポイント付与手段、として機能させることを特徴とするプログラムである。
【発明の効果】
【００１５】
本発明によれば、所定地域に賑わいをもたらすことが可能な通行誘導サーバ、その方法及びプログラムを提供できる。
【図面の簡単な説明】
【００１６】
【図１】本発明の実施形態に係る通行誘導サーバが適用される通行誘導システムにおける通行誘導サービスの概念を説明する図である。
【図２】本発明の実施形態に係る通行誘導システムの機能構成を示す図である。
【図３】ポイントＤＢに格納されるデータを表形式で模式的に示す図である。
【図４】本発明の実施形態に係る通行誘導サーバが実行する通行誘導処理フローを示す図である。
【図５】ポイント付与手段におけるポイントの算出方法を説明する図である。
【発明を実施するための形態】
【００１７】
以下、添付図面を参照して、本発明を実施するための形態（以下、実施形態）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００１８】
（基本概念／基本構成）
図１は、本発明の実施形態に係る通行誘導サーバが適用される通行誘導システムにおける通行誘導サービスの概念を説明する図である。通行誘導システム１は、所定地域（例えば、商店街等）に人を滞留させるためのシステムである。
【００１９】
通行誘導システム１は、ユーザの通行を誘導する通行誘導サーバと、通行誘導サーバとネットワークを介して接続され、所定地域を訪れたユーザに操作されるユーザ端末と、を備える。
【００２０】
通行誘導サーバは、所定地域のルート上に複数のスポット（図１に示す例では、Ａ,Ｂ,Ｃ,Ｄ,Ｅ）を設定し、ユーザ端末から受信した位置情報を受信し、この位置情報に基づき、ユーザが通行した経路（図１に示す例では、点線の矢印）を特定し、この経路において、ルート上に設定されていた複数のスポットのうち、少なくとも１つのスポットを複数回通行していたことに応じたポイントを、ユーザに付与する。
【００２１】
具体的には、図１に示す例において、点線の矢印は、ユーザが通行した（ユーザ端末の移動）経路を示しており、円はスポットを示している。この経路が、スポットと重なっている場合、ユーザはこのスポットを通行している。すなわち、図１に示す例では、ユーザは、複数のスポットＡ,Ｂ,Ｃ,Ｄ,Ｅのうち、スポットＡ,Ｂ,Ｃを２回通行している。
通行誘導サーバは、ユーザがスポットＡ,Ｂ,Ｃを２回通行していることに応じてポイントを付与する。すなわち、通行誘導サーバは、あるスポットを１回通行しただけではポイントを付与しない。このため、通行誘導サーバは、ユーザがスポットＤ,Ｅを１回だけ通行していることに対しては、ポイントを付与しない。また、通行誘導サーバは、仮に、ユーザがスポットＡ,Ｂ,Ｃを１回通行しただけではポイントを付与しない。
【００２２】
このように付与されるポイントは、例えば、所定地域の店舗や、クレジットカードや、所定のグループのメンバーズカード等において利用可能なポイントである。
【００２３】
このため、ユーザは、所定地域のルートを通行しただけの場合はポイントを得ることができないので、ポイントを得るために、所定地域のルート上を行ったり来たりし、所定地域に滞留することとなる。これにより、例えば、一般的なカードにおけるポイントのように、店舗等での購買までを求めることなく、例えば、所定地域（商店街等）において、ユーザを誘致したい店舗の周囲にユーザの動線が来るように誘導し、その行動に対してポイントを付与することが可能となる。
したがって、所定地域に賑わいをもたらすことが可能となる。
【００２４】
（機能構成）
図２は、本発明の実施形態に係る通行誘導システムの機能構成を示す図である。通行誘導システム１は、ユーザの通行を誘導する通行誘導サーバ１０と、通行誘導サーバ１０とネットワークを介して接続され、ユーザにより操作されるユーザ端末２０と、を備える。
【００２５】
（通行誘導サーバ１０の構成）
通行誘導サーバ１０は、スポット設定手段１１と、受信手段１２と、移動速度取得手段１３と、経路特定手段１４と、ポイント付与手段１５と、ポイント記憶手段の一例であるポイントデータベース（以下、ポイントＤＢ）１１０と、を備える。
【００２６】
スポット設定手段１１は、所定地域のルート上に複数のスポットを設定し、設定したスポットの位置を示すスポット情報に、ポイントを対応付けて、ポイントＤＢ１１０に記憶する。
通行誘導サーバ１０は、外部の装置（例えば、ある商店街の店舗等で管理されている端末等）から、スポットとしての設定を要望する位置の位置情報を受信し、スポット設定手段１１は、この位置情報に基づく位置にスポットを設定する。なお、スポット設定手段１１は、任意に位置にスポットを設定することができる。例えば、スポット設定手段１１は、所定地域において、車両が通行できない道にのみ、スポットを設定することができる。また、１つのスポットにより設定される位置は、所定範囲（例えば、半径５ｍの円）で設定することができる。
【００２７】
また、スポット設定手段１１は、複数のスポットを設定したルートを示すルート情報や、設定したスポットの位置情報を、ユーザ端末２０に送信してもよい。このルート情報やスポットの位置情報には、複数のスポットに加え、各スポットに設定された通行回数と得ることができるポイント数を表示するための詳細情報を含んでもよい。
【００２８】
図３は、ポイントＤＢに格納されるデータを表形式で模式的に示す図である。
ポイントＤＢ１１０は、各スポット情報に、当該スポットを複数回通行していたことに応じて、ユーザに付与される加点ポイント（点）が対応付けられている。
【００２９】
図３に示す例では、ポイントＤＢ１１０は、複数のポイント（スポット情報）間で互いに異なる点のポイントが対応付けられている。
具体的には、例えば、スポット情報Ａは、２回目の通行で１点加点され、３回目の通行で２点加点され、４回目の通行で３点加点され、５回目の通行で４点加点される。一方、スポット情報Ｂは、２回目の通行で２点加点され、３回目の通行で３点加点され、４回目の通行で４点加点され、５回目の通行で５点加点される。
【００３０】
また、ポイントＤＢ１１０は、複数のポイント間で、ポイントが付与される通行回数が異なってもよい。
具体的には、例えば、スポット情報Ａ，Ｂ，Ｃは、２回目の通行からポイントが付与される。一方、スポット情報Ｄ，Ｅは、２回目の通行ではポイントが付与されず、３回目の通行からポイントが付与される。
【００３１】
このように、複数のスポットにおいて、付与するポイントの軽重を付けることで、所定地域内において、より賑わいをもたらしたい所をコントロールすることが可能となる。
【００３２】
また、加点ポイント（点）は、各スポットに関する画像を、他のユーザ端末２０と共有した場合（例えば、画像共有サイト等のＳＮＳ（Social  Networking  Service）にスポットに関する情報を上げた場合等）に、受信手段１２が受信する画像共有情報に応じたポイントも含まれる。
【００３３】
また、スポット設定手段１１は、それぞれのスポットに対して、ポイントが付与される有効時間を設定してもよいし、時間帯や、日付、曜日等に応じて、加点ポイントを変化させてもよい。
【００３４】
図２に戻って、受信手段１２は、ユーザ端末２０から、所定間隔（例えば、１秒間隔や、ユーザ端末２０が位置情報を更新するごとに等）で位置情報、ユーザ端末２０の移動速度を示す移動速度情報、ある位置の画像情報を、他のユーザ端末２０と共有したことを示す画像共有情報を含むユーザ情報を、ユーザを識別するユーザ識別情報とともに受信する。本実施形態において、位置情報は、ユーザ端末２０の位置を特定できれば、住所を示す情報でもよいし、緯度・経度で示される情報であってもよい。
【００３５】
また、受信手段１２は、ユーザ端末２０から、スポットの通過を示すスポット通過情報を取得する。このような受信手段１２は、スポットの通過を示すスポット通過情報を取得するスポット通過情報取得手段として機能する。
【００３６】
移動速度取得手段１３は、ユーザ端末２０の移動速度を取得する。移動速度取得手段１３は、受信手段１２が受信したユーザ情報に移動速度情報が含まれていた場合には、この移動速度情報に基づき、ユーザ端末２０の移動速度として取得する。
また、移動速度取得手段１３は、ある時点で受信手段１２が受信した位置情報と、次の時点で受信手段１２が受信した位置情報と、からユーザ端末２０の移動距離を、ある時点と次の時点の時間差で、除算することで、ユーザ端末２０の移動速度を取得してもよい。
【００３７】
経路特定手段１４は、受信手段１２が受信した位置情報に基づき、ユーザが通行した（ユーザ端末２０の移動）経路を特定する。経路特定手段１４は、受信手段１２がユーザ端末２０から受信した位置情報を時系列でつなげることで、経路を特定する。
【００３８】
ポイント付与手段１５は、経路特定手段１４が特定した経路において、ルート上に設定されていた複数のスポット（ポイントＤＢ１１０に記憶されている複数のスポット）のうち、少なくとも１つのスポットを複数回通行していたことに応じたポイントを、ユーザに付与する。詳細には、ポイント付与手段１５は、ポイントＤＢ１１０（図３参照）に記憶されているスポット情報が示す位置情報に、経路特定手段１４が特定した経路が重なった回数を、スポット情報ごとにカウントし、ポイントＤＢ１１０を参照し、カウントした回数に応じた加算ポイントを累積して、ユーザに付与するポイントを算出する。そして、ポイント付与手段１５は、算出したポイントを、ユーザを識別するユーザ識別情報に対応付けて記憶部に記憶する。また、ポイント付与手段１５は、ルート上に設定されていた複数のスポットの全てを通行していたことを条件として、少なくとも１つのスポットを複数回通行していたことに応じたポイントを、ユーザに付与してもよい。これにより、１つスポットのみを繰り返し通行してもポイントが付与されないので、ユーザは所定地域全体を通行することになるので、所定地域全体をにぎわせることが可能となる。
【００３９】
また、変形例として、スポット間の距離を所定以下（例えば、１０ｍ、５ｍ、１ｍ）にすることによってユーザを誘導したいルート上にスポットを所定区間において（例えば、隣り合う交差点間の距離に対して）細かく配置し、ポイント付与手段１５は、全てのスポットでなく所定割合（例えば、８割）以上のスポットを通行したことによってポイント付与の条件を満たしたと判断してもよい。このようにスポットをルート上の所定区間に細かく配置し、所定区間のスポットの所定割合以上の通行で条件を満たすと判断する場合は、所定区間（例えば、隣り合う交差点間）ごとにスポット通過割合を判定するようにしてもよい。これにより、全てのスポットを通行しなくても、ポイントを付与することが可能となり、全てのスポットを通行しなければならないというユーザの義務感を低減できるので、より気軽に所定地域に誘導することが可能となる。また、スポットの設定の仕方によっては、ユーザが通行して欲しいルートを通らずに、指定スポットを通行することができてしまうことも考えられるが、ポイント付与の条件であるスポット通過割合を、所定割合以上の通行とすることで、期待通りにルートを通るように誘導することが可能となる。また、所定地域のルートにおいて、特に、にぎわいをもたらせたい区間におけるポイント付与の条件であるスポット通過割合を、他の区間に比べ高く設定することで、所定地域の特定の区間をよりにぎわせることが可能となる。
【００４０】
なお、ポイント付与手段１５は、受信手段１２がユーザ端末２０から位置情報を受信したことを契機に、随時ポイントを算出し、算出したポイント数を示すポイント情報を、当該ユーザ端末２０に送信してもよい。これにより、ユーザは、ユーザ端末２０において、付与されたポイントを随時確認できるので、より所定地域を巡回するモチベーションを向上することが可能となる。
【００４１】
また、ポイント付与手段１５は、移動速度取得手段１３が取得した、ルート上における移動中のユーザ端末２０の移動速度が、所定速度以下（例えば、移動している状態であって、時速１０ｋｍ以下）である場合に、ポイントを付与する。本実施形態において、移動速度は、所定地域のルートにおける、ユーザ端末２０の平均移動速度でもよいし、所定地域のルートのある地点における移動速度でもよい。すなわち、ポイント付与手段１５は、ユーザ端末２０の移動速度が、所定速度を超えていた場合には、ポイントを付与しない。
【００４２】
また、ポイント付与手段１５は、スポット通過情報取得手段としての受信手段１２によって取得されたスポット通過情報に基づいて、ルート上に設定されていた複数のスポットのうち、少なくとも１つのスポットを複数回通行していたことに応じたポイントを、ユーザに付与する。詳細には、ポイント付与手段１５は、スポット通過情報に基づいて、ポイントＤＢ１１０（図３参照）に記憶されているスポットを通過した回数を、スポットごとにカウントし、ポイントＤＢ１１０を参照し、カウントした回数に応じた加算ポイントを累積して、ユーザに付与するポイントを算出する。そして、ポイント付与手段１５は、算出したポイントを、ユーザを識別するユーザ識別情報に対応付けて記憶部に記憶する。
【００４３】
また、受信手段１２は、ユーザ端末２０から、スポットの通過時刻を示す通過時刻情報を受信してもよい。この場合、ポイント付与手段１５は、設定されたあるスポットの通過時刻と、時間的に直接前後する他のスポットの通過時刻との差が、所定以下の時間差である場合にはポイント加算しないようにしてもよい。
【００４４】
例えば、スポットが３つ（Ａ、Ｂ、Ｃ）あり、スポット通過の時間的経過を追うと「Ａ→Ｂ→Ｃ→Ｃ（Ｃを２回通過）」だった場合を例に説明する。１つ目のスポット（Ａ）の通過時刻をＴ１、２つ目のスポット（Ｂ）の通過時刻をＴ２、３つ目のスポット（Ｃ）の通過時刻をＴ３、４つ目のスポット（Ｃ）の通過時刻をＴ４と考える。Ｔ２−Ｔ１、Ｔ３−Ｔ２、Ｔ４−Ｔ３のいずれかが所定時間差以下ならポイント加算しないとしてもよい。特にＴ４−Ｔ３は同じスポット（Ｃ）の２回通過を意味するもので、この時間差があまりに小さい場合、うろうろ感が無く、所定地域の賑わいに寄与していないと考えられるので、ポイントを付与する対象から排除する意味がある。
【００４５】
このように、あるスポットと他のスポット間の滞在時間に応じてポイントを付与することで、所定速度でただ急いでスポットを回るユーザよりも、よりゆっくり所定地域に滞在するユーザにより多くのポイントを付与することが可能となり、より所定地域に賑わいをもたらすことが可能となる。
【００４６】
また、所定速度をランク分け（例えば、平均移動速度が時速１ｋｍ未満のランクＡ、平均移動速度が時速１ｋｍ以上５ｋｍ未満のランクＢ、平均移動速度が５ｋｍ以上時速１０ｋｍ以下のランクＣ等）してもよい。この場合、ポイント付与手段１５は、所定速度のランクに応じたポイントを付与してもよい。ポイント付与手段１５は、平均移動速度が遅いランクほど平均移動速度が速いランクより付与するポイントを高くすることが望ましい。具体的には、ポイント付与手段１５は、例えば、ランクＡの場合にはポイントＤＢ１１０に記憶されたポイントの２倍、ランクＢの場合にはポイントＤＢ１１０に記憶されたポイントの１倍、ランクＢの場合にはポイントＤＢ１１０に記憶されたポイントの０．５倍にしたポイントを付与してもよい。これにより、所定地域をよりゆっくり移動してもらうように誘導することが可能となり、より所定地域に賑わいをもたらすことが可能となる。
【００４７】
また、ポイント付与手段１５は、ユーザ情報に画像共有情報が含まれていた場合には、ポイントＤＢ１１０（図３参照）を参照し、画像共有情報が示す画像の位置が、スポット設定手段１１により設定された何れかのスポット周辺か否かを判定し、判定したスポットに応じたポイントを、ユーザに付与する。
【００４８】
（ユーザ端末２０の構成）
ユーザ端末２０は、各ユーザに適した機器（例えば、携帯端末、スマートフォン、タブレット端末、パーソナルコンピュータ、ゲーム機器等）で構成されている。ユーザ端末２０は、上記のような機器そのものであってもよいし、上記の複数の機器とローカルネットワークを介して、情報交信可能な制御機器であってもよい。
【００４９】
ユーザ端末２０は、ユーザ端末制御手段２１と、位置情報取得手段の一例であるユーザ端末位置情報取得手段２２と、ユーザ端末受信手段及びユーザ端末送信手段の一例であるユーザ端末送受信手段２３と、ユーザ端末入出力手段２４と、を備える。
【００５０】
ユーザ端末制御手段２１は、他の各種手段を含むユーザ端末２０全体を制御し、下記に示す各処理を実行する。
【００５１】
また、ユーザ端末制御手段２１は、ユーザ端末２０の移動速度を計測する機能を備える場合には、計測した移動速度を示す移動速度情報を記憶部に記憶する。
【００５２】
また、ユーザ端末制御手段２１は、ユーザの操作により、あるスポットに関する画像を、他のユーザ端末２０と共有した場合（例えば、画像共有サイト等のＳＮＳ（Social  Networking  Service）にスポットに関する情報を上げた場合等）、画像を撮像した位置を示す情報を含む画像共有情報を記憶部に記憶する。
【００５３】
また、ユーザ端末制御手段２１は、通行誘導サーバ１０から、スポットの位置情報を受信していた場合に、当該スポットを通過したか否かを判定し（スポットの位置情報が示す位置の所定距離範囲内を通過したか否かを判定し）、当該スポットを通過したと判定した場合、当該スポットの通過を示すスポット通過情報を、通行誘導サーバ１０に送信する。
【００５４】
ユーザ端末位置情報取得手段２２は、ユーザ端末２０が有するＧＰＳ（Global  Positioning  System）機能により、ユーザ端末２０の位置を示す位置情報を取得する。なお、ユーザ端末位置情報取得手段２２は、ＧＰＳのみならず、電話会社のアンテナの電波強度から算出された位置を位置情報として取得してもよいし、ワイヤレスＬＡＮ(Local Area Network)等の近距離無線通信により算出された位置を位置情報として取得してもよい。
【００５５】
ユーザ端末送受信手段２３は、ユーザ端末制御手段２１による制御により、ユーザ端末位置情報取得手段２２が取得した位置情報、ユーザ端末制御手段２１により記憶部に記憶された移動速度情報及び画像共有情報を、ユーザを識別するユーザ識別情報と対応付けて、通行誘導サーバ１０に送信する。
また、ユーザ端末送受信手段２３は、通行誘導サーバ１０から、ルート情報や、スポットの位置情報や、ポイント情報を受信する。
また、ユーザ端末送受信手段２３は、ユーザ端末制御手段２１の制御により、スポット通過情報を通行誘導サーバ１０に送信する。
【００５６】
ユーザ端末入出力手段２４は、例えば、タッチパネルで構成され、ユーザ端末制御手段２１の制御により、通行誘導サーバ１０から受信したルート情報やポイント情報を表示する。
【００５７】
（変形例）
変形例では、ユーザ端末２０が、ユーザにポイントを付与する。
変形例において、ユーザ端末送受信手段２３は、所定地域のルート上に複数のスポットが設定されたスポット設定情報を取得するスポット設定情報取得手段として機能する。ユーザ端末送受信手段２３は、スポット設定情報を、通行誘導サーバ１０やその他の外部の装置から受信する。スポット設定情報には、予め設定されたスポットの位置情報と、各スポット情報に、当該スポットを複数回通行していたことに応じて、ユーザに付与される加点ポイント（点）とを示す情報である。すなわち、スポット設定情報には、図３に示すポイントＤＢ１１０が含まれる。
【００５８】
また、ユーザ端末位置情報取得手段２２は、ユーザ端末２０の位置情報を取得する位置情報取得手段として機能する。
【００５９】
そして、ユーザ端末制御手段２１は、ユーザ端末位置情報取得手段２２が取得した位置情報と、ユーザ端末送受信手段２３が取得したスポット設定情報に基づき、ユーザ端末２０がスポットの所定距離範囲内（例えば、１０ｍ以内）を通過したことを判定するスポット通過判定手段として機能する。ユーザ端末制御手段２１は、スポット設定情報に含まれるスポットの位置情報が示す位置の所定距離範囲内を通過したと判定した場合には、当該スポットを通過した通過回数を、記憶手段に記憶する。
【００６０】
また、ユーザ端末制御手段２１は、上述のとおり、ユーザ端末２０の移動速度を取得する移動速度取得手段として機能する。
【００６１】
また、ユーザ端末制御手段２１は、ルート上に設定されていた複数のスポットのうち、少なくとも１つのスポットを複数回通行したことに応じたポイントを、ユーザに付与するポイント付与手段として機能する。ユーザ端末制御手段２１は、スポット設定情報に含まれていたポイントＤＢ１１０を参照し、記憶手段に記憶された少なくとも１つのスポットの通過回数に基づき、上記実施形態におけるポイント付与手段１５と同様の処理により、ポイントを算出しユーザに付与する。
【００６２】
このように、上記実施形態における通行誘導サーバ１０が備える移動速度取得手段１３や、ポイント付与手段１５や、ポイントＤＢ１１０は、ユーザ端末２０や、ユーザに所持され、ユーザの通行を誘導するその他のコンピュータが備えてもよい。
【００６３】
上記の本システムの機能構成は、あくまで一例であり、１つの機能ブロック（データベース及び機能処理部）を分割したり、複数の機能ブロックをまとめて１つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置（記憶部）に格納されたコンピュータ・プログラム（例えば、基幹ソフトや上述の各種処理をＣＰＵに実行させるアプリ等）を読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００６４】
（処理フロー）
図４は、本発明の実施形態に係る通行誘導サーバが実行する通行誘導処理フローを示す図である。図４の処理フロー図（フローチャート）においては、各ステップの入力と出力の関係を損なわない限り、各ステップの処理順序を入れ替えてもよい。
【００６５】
まず、通行誘導サーバ１０は、通行誘導処理を実行する前に、スポット設定手段１１が、所定地域のルート上に複数のスポットを設定し、設定したスポットの位置を示すスポット情報に、ポイントを対応付けて、ポイントＤＢ１１０（図３参照）に記憶する。その後、通行誘導サーバ１０は、以下の通行誘導処理を実行する。
【００６６】
ステップＳ１において、受信手段１２は、ユーザ端末２０から、所定間隔で位置情報、移動速度情報、ある位置の画像情報を、画像共有情報を含むユーザ情報を、ユーザを識別するユーザ識別情報とともに受信する。
【００６７】
ステップＳ２において、移動速度取得手段１３は、ステップＳ１で受信手段１２が受信したユーザ情報に含まれている移動速度情報に基づき、ユーザ端末２０の移動速度を取得する。
【００６８】
ステップＳ３において、ポイント付与手段１５は、ステップＳ２で移動速度取得手段１３が取得した、ルート上における移動中のユーザ端末２０の移動速度が、所定速度以下であるか否かを判定し、所定速度以下であると判定した場合にはステップＳ４に処理を移し、所定速度以下であると判定しない場合には通行誘導処理を終了する。
【００６９】
ステップＳ４において、経路特定手段１４は、ステップＳ１で受信手段１２が受信したユーザ情報に含まれる位置情報に基づき、ユーザが通行した（ユーザ端末２０の移動）経路を特定する。
【００７０】
ステップＳ５において、ポイント付与手段１５は、ステップＳ４で経路特定手段１４が特定した経路において、ルート上に設定されていた複数のスポット（ポイントＤＢ１１０に記憶されている複数のスポット）のうち、少なくとも１つのスポットを複数回通行していたか否かを判定し、複数回通行していたと判定した場合にはステップＳ６に処理を移し、複数回通行していたと判定しない場合には通行誘導処理を終了する。
【００７１】
ステップＳ６において、ポイント付与手段１５は、ルート上に設定されていた複数のスポット（ポイントＤＢ１１０に記憶されている複数のスポット）のうち、少なくとも１つのスポットを複数回通行していたことや、ステップＳ１で受信手段１２が受信したユーザ情報に含まれていた画像共有情報に応じたポイントを、ユーザに付与する（ユーザを識別するユーザ識別情報に対応付けて記憶部に記憶する）。
【００７２】
図５は、ポイント付与手段におけるポイントの算出方法を説明する図である。
図３及び図５を参照して、ポイント付与手段１５におけるポイントの算出方法の具体例について説明する。
図５において、細い点線の矢印は、ステップＳ４（図４参照）の処理において、経路特定手段１４が特定した、ユーザが通行した（ユーザ端末２０の移動）経路を示しており、円は、スポットを示している。この経路が、スポットと重なっている場合、ユーザはこのスポットを通行している。また、図５において、太い点線の矢印とユーザ端末２０は、スポットＥに関する画像を、他のユーザ端末２０と共有したこと（例えば、画像共有サイト等のＳＮＳ（Social  Networking  Service）にスポットに関する情報を上げたこと）を示している。
【００７３】
図５に示す例では、ユーザは、複数のスポットＡ,Ｂ,Ｃ,Ｄ,Ｅのうち、スポットＡ,Ｂ,Ｄを２回通行し、スポットＣを３回通行し、スポットＥを１回通行している。また、ユーザは、スポットＥに関する画像を、他のユーザ端末２０と共有している。
【００７４】
この場合、ポイント付与手段１５は、ステップＳ６の処理により、ポイントＤＢ１１０（図３参照）を参照し、以下のように、ユーザに付与するポイントを算出する。
ポイント付与手段１５は、スポットＡを２回通行したことに応じて１点加算し、スポットＢを２回通行したことに応じて２点加算する。なお、スポットＤも２回通行しているが、図３に示す例では、スポットＤは３回通行しないとポイントは加算されない。また、ポイント付与手段１５は、スポットＣを３回通行したことに応じて７点（２回目の３点と３回目の４点を累積した値）加算する。なお、スポットＥを１回通行しているが、本実施形態では複数回通行しないとポイントは加算されない。
【００７５】
また、ポイント付与手段１５は、ユーザが、スポットＥに関する画像を、他のユーザ端末２０と共有していることに応じて、６点加算する。
【００７６】
そして、ポイント付与手段１５は、以上の加算されたポイントを合算した１６（１＋２＋７＋６）点を、ユーザに付与する（ユーザを識別するユーザ識別情報に対応付けて記憶部に記憶する）。
【００７７】
（実施形態の効果）
本実施形態によれば、ユーザは、所定地域のルートを通行しただけの場合はポイントを得ることができないので、ポイントを得るために、所定地域のルート上を行ったり来たりし、所定地域に滞留することとなる。これにより、例えば、一般的なカードにおけるポイントのように、店舗等での購買までを求めることなく、例えば、所定地域（商店街等）において、ユーザを誘致したい店舗の周囲にユーザの動線が来るように誘導し、その行動に対してポイントを付与することが可能となる。
したがって、所定地域に賑わいをもたらすことが可能となる。
【００７８】
また、本実施形態によれば、移動中のユーザ端末２０の移動速度が、所定速度以下である場合に、ポイントを付与する。すなわち、ユーザ端末２０の移動速度が、所定速度を超えていた場合には、ポイントを付与しない。これにより、例えば、移動速度が比較的速い自動車や自転車で、ポイントが設定されたルートに入ってもポイントが付与されないので、所定地域を歩いて人で賑わいをもたらすことが可能となる。このため、自動車等で所定地域に訪れた人は、例えば、所定地域の側に自動車等を止め、歩いて所定地域を散策することで、ポイントが付与される。
【００７９】
また、本実施形態によれば、スポットに関する画像を、他のユーザ端末２０と共有していることに応じて、ポイントを付与する。これにより、所定地域を賑わせているユーザが、積極的に所定地域の様子を画像で周知させるので、より多くの人を所定地域に集めることが可能となる。
【００８０】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。なお、上記の実施形態では、本発明を物の発明として、通行誘導サーバについて説明したが、本発明において通行誘導サーバが実行する方法や、通行誘導サーバを各種手段として機能させるプログラムの発明と捉えることもできる。
【符号の説明】
【００８１】
１  通行誘導システム
１０  通行誘導サーバ
１１  スポット設定手段
１２  受信手段
１３  移動速度取得手段
１４  経路特定手段
１５  ポイント付与手段
２０  ユーザ端末
２１  ユーザ端末制御手段
２２  ユーザ端末位置情報取得手段
２３  ユーザ端末送受信手段
２４  ユーザ端末入出力手段
１１０  ポイントＤＢ（ポイントデータベース）
【図１】
2019139325.tif 000003
【図２】
2019139325.tif 000004
【図３】
2019139325.tif 000005
【図４】
2019139325.tif 000006
【図５】
2019139325.tif 000007